(57)【特許請求の範囲】
【請求項１】
押鍵による発音音高を変化させるための鍵域シフト操作子と、
複数の白鍵及び複数の黒鍵がそれぞれ設けられた複数のフレームと、
前記複数のフレームのうち互いに隣接するフレーム同士を連結し、前記隣接する両フレームを折り畳み状態から平面展開状態となるまで相対的に回動可能にする連結手段とを備え、
前記連結手段を介して、前記複数のフレームが略１つのフレーム大に折り畳まれる折畳配置と、前記複数のフレームが展開されて鍵並び方向に直列に配置される平面展開配置との両配置が可能なように構成されると共に、
前記鍵域シフト操作子には、それぞれ独立して操作可能な低音域側シフト用の鍵域シフト操作子と高音域側シフト用の鍵域シフト操作子とがあり、前記低音域側シフト用の鍵域シフト操作子は、前記複数のフレームのうち最低音域側のフレームの左端部近傍に設けられると共に、前記高音域側シフト用の鍵域シフト操作子は、前記複数のフレームのうち最高音域側のフレームの右端部近傍に設けられたことを特徴とする鍵盤装置。
【請求項２】
前記複数の白鍵及び前記複数の黒鍵は、前記複数の各フレームにそれぞれ設けられた鍵盤ユニットに設けられ、左右両端側の鍵盤ユニットを、対応するフレームに対して相対的に鍵並び方向に移動させることで、前記折畳配置と前記平面展開配置との両配置が可能なように構成されると共に、前記低音域側シフト用の鍵域シフト操作子と前記高音域側シフト用の鍵域シフト操作子とが、前記左右両端側の鍵盤ユニットを鍵並び方向に移動させるための把持部を兼用するように構成したことを特徴とする請求項１記載の鍵盤装置。
【発明の詳細な説明】
【０００１】
【発明の属する技術の分野】
本発明は、携帯に適した小型の鍵盤装置に関する。
【０００２】
【従来の技術】
従来、小型化により携帯性を高めた鍵盤装置が知られている。鍵盤装置は一般に、その性質上、鍵並び方向（横方向）に長い形状を成すが、従来の鍵盤装置では、小型化を図るために、折り畳み型や巻物型に構成する工夫がなされている。例えば、折り畳み型の電子鍵盤装置（実開昭６１−７６４９３号公報）は、鍵盤部を薄いシート状に形成し、黒鍵が介在しない白鍵間（Ｅ―Ｆ鍵間、Ｇ―Ｃ鍵間）を分割位置として、この分割位置で折曲することで、鍵盤の表面同士または裏面同士が対向して重なるように折り畳んでコンパクトにできるように構成されている。
【０００３】
【発明が解決しようとする課題】
しかしながら、折曲体は一般に、折り畳んだ時、谷側が縮み山側が延びる。現実にはあり得ない厚さゼロの折曲体でない限り、このような特性を本質的に有している。従って、現実に従来のような鍵盤装置を製作しようとすると、シート部となる鍵盤そのものを伸縮自在な材料で構成する必要がある。そのため、材料の選択の自由度が制約される。また、伸縮自在な材料で構成したとしても、通常の（折り畳み型や巻物型でない）鍵盤に比し、剛性や耐久性がなく、押鍵ストロークも大きくとれないことから操作性が悪いという問題がある。また、シート材の弾力を利用して分割位置で折曲する構成であるため、分割位置（折曲位置）に折りくせがついて、次第に演奏操作に支障が出るおそれがあるり、折曲部分の耐久性が他の部分に比し低くなる。これにより、各鍵の操作性のバランスも悪くなるだけでなく、弾性シートを使用せざるを得ないことからグリッサンドのような奏法等も困難で、初期使用からの操作性も悪い。このように、従来の鍵盤装置では、操作性、剛性、耐久性の点で問題があった。
【０００４】
さらに、携帯型の鍵盤装置では、鍵数を極力少なくするため音域が狭くなる傾向がある。それを補うべく、押鍵による発音音高を変化させるための鍵域シフト操作子を設けることが考えられるが、そのレイアウトには、良好な携帯性、操作性が維持でき、さらには構成をいたずらに複雑化させないような配慮が求められる。
【０００５】
本発明は上記従来技術の問題を解決するためになされたものであり、その目的は、高い耐久性、携帯性及び操作性を有すると共に、少ない鍵数、容易な鍵域シフト操作にて、広い音域をカバーすることができる鍵盤装置を提供することにある。
【０００６】
【課題を解決するための手段】
上記目的を達成するために本発明の請求項１の鍵盤装置は、押鍵による発音音高を変化させるための鍵域シフト操作子と、複数の白鍵及び複数の黒鍵がそれぞれ設けられた複数のフレームと、前記複数のフレームのうち互いに隣接するフレーム同士を連結し、前記隣接する両フレームを折り畳み状態から平面展開状態となるまで相対的に回動可能にする連結手段とを備え、前記連結手段を介して、前記複数のフレームが略１つのフレーム大に折り畳まれる折畳配置と、前記複数のフレームが展開されて鍵並び方向に直列に配置される平面展開配置との両配置が可能なように構成されると共に、前記鍵域シフト操作子には、それぞれ独立して操作可能な低音域側シフト用の鍵域シフト操作子と高音域側シフト用の鍵域シフト操作子とがあり、前記低音域側シフト用の鍵域シフト操作子は、前記複数のフレームのうち最低音域側のフレームの左端部近傍に設けられると共に、前記高音域側シフト用の鍵域シフト操作子は、前記複数のフレームのうち最高音域側のフレームの右端部近傍に設けられたことを特徴とする。
【０００７】
この構成によれば、複数の白鍵及び複数の黒鍵がそれぞれ設けられた複数のフレームのうち互いに隣接するフレーム同士を連結手段で連結し、隣接する両フレームを折り畳み状態から平面展開状態となるまで相対的に回動可能にしたので、例えば、平面展開配置時には、鍵盤ユニットを各フレームの連結部分でフレームに対してオーバーラップさせると共に、折畳配置時には、連結部分以外で鍵盤ユニットとフレームとが積層されるような構造にすることで、両配置共に、シート状鍵盤を折曲して折り畳む場合に比し剛性や耐久性が向上する。また、前記連結手段を介して、前記複数のフレームが略１つのフレーム大に折り畳まれる折畳配置と、前記複数のフレームが展開されて鍵並び方向に直列に配置される平面展開配置との両配置が可能なように構成したので、折畳配置にしてコンパクトに携帯できると共に、平面展開配置にして演奏操作が行え、しかも、鍵が、シート状でなくある程度堅さを有するフレームに設けられるので、押鍵操作がやりやすい。さらに、押鍵による発音音高を変化させるための鍵域シフト操作子を備えたので、発音可能な音域が広がる。しかも鍵域シフト操作子のうち、低音域側シフト用の鍵域シフト操作子は、最低音域側のフレームの左端部近傍に設けられると共に、高音域側シフト用の鍵域シフト操作子は、最高音域側のフレームの右端部近傍に設けられたので、鍵域シフト操作子の操作を行いやすい。よって、高い耐久性、携帯性及び操作性を有すると共に、少ない鍵数、容易な鍵域シフト操作にて、広い音域をカバーすることができる。
【０００８】
上記目的を達成するために本発明の請求項２の鍵盤装置は、請求項１記載の構成において、前記複数の白鍵及び前記複数の黒鍵は、前記複数の各フレームにそれぞれ設けられた鍵盤ユニットに設けられ、左右両端側の鍵盤ユニットを、対応するフレームに対して相対的に鍵並び方向に移動させることで、前記折畳配置と前記平面展開配置との両配置が可能なように構成されると共に、前記低音域側シフト用の鍵域シフト操作子と前記高音域側シフト用の鍵域シフト操作子とが、前記左右両端側の鍵盤ユニットを鍵並び方向に移動させるための把持部を兼用するように構成したことを特徴とする。
【０００９】
この構成によれば、低音域側シフト用の鍵域シフト操作子と高音域側シフト用の鍵域シフト操作子とが、左右両端側の鍵盤ユニットを鍵並び方向に移動させるための把持部を兼用するので、鍵域シフト操作子及び把持部を別途設ける場合に比し、構成を簡単にすることができる。よって、高い耐久性、携帯性及び操作性を有すると共に、簡単な構成、少ない鍵数にて、広い音域をカバーすることができる。
【００１０】
なお、左右両端側の鍵盤ユニットを、例えば、互いに近づく中央方向（左端側の鍵盤ユニットでは右方、右端側の鍵盤ユニットでは左方）に移動させたとき、隣接する両フレームの相対的回動が規制される一方、左右両端側の鍵盤ユニットを、例えば、互いに近づく中央方向（左端側の鍵盤ユニットでは右方、右端側の鍵盤ユニットでは左方）に移動させたとき、隣接する両フレームの相対的回動が規制される一方、左右両端側の鍵盤ユニットを、例えば、互いに離間する左右両端方向に移動させたとき、隣接する両フレームの相対的回動が可能になるように構成するのが望ましい。これにより、簡単な操作で折り畳みができると共に、使用時は平面展開配置で各フレームが固定され操作性がよい。
【００１１】
【発明の実施の形態】
以下、本発明の実施の形態を図面を参照して説明する。
【００１２】
（第１の実施の形態）
図１は、本発明の第１の実施の形態に係る鍵盤装置の外観斜視図である。
【００１３】
本鍵盤装置１は、折り畳んで携帯し、展開して、演奏したりモバイルコンピュータに接続して楽音データを入力編集したりすることができる小型の鍵盤装置であり、同図では、展開した状態が示されている。なお、以降、本装置の演奏者側を前方と称する。
【００１４】
本鍵盤装置１は、合成樹脂製のメインケースＭＣ（フレーム）を備え、メインケースＭＣは４つのブロックに分かれており、低音域側から第１、第２、第３、第４メインケースＭＣ１、ＭＣ２、ＭＣ３、ＭＣ４というように直列に配置されている。第１〜第４メインケースＭＣ１〜ＭＣ４の上にはそれぞれ、図７で詳述するサブフレーム組体ＳＵＢ１〜ＳＵＢ４が配設され、サブフレーム組体ＳＵＢ１〜ＳＵＢ４の上に、鍵盤ユニットＫＵ１〜ＫＵ４が対応して配設される。サブフレーム組体ＳＵＢ１及びＳＵＢ２間、ＳＵＢ２及びＳＵＢ３間、ＳＵＢ３及びＳＵＢ４間は、それぞれ分割位置ＤＩＶ１、ＤＩＶ２、ＤＩＶ３を境に分かれている。
【００１５】
詳細は後述するが、第１メインケースＭＣ１と第２メインケースＭＣ２とは、連結部ＣＯＮ１（連結手段）で回動可能に連結され、第２メインケースＭＣ２と第３メインケースＭＣ３とは、連結部ＣＯＮ２（連結手段）で回動可能に連結され、第３メインケースＭＣ３と第４メインケースＭＣ４とは、連結部ＣＯＮ３（連結手段）で回動可能に連結されている。また、サブフレーム組体ＳＵＢ１、ＳＵＢ４は、それぞれ第１、第４メインケースＭＣ１、ＭＣ４に対して鍵並び方向（横方向）にスライド移動可能に構成され、鍵盤装置１を折り畳むまたは展開する際に移動される。
【００１６】
図２〜図４は、鍵盤装置１の展開状態から折り畳み状態までの行程を示す外観図である。図２は、サブフレーム組体ＳＵＢ１、ＳＵＢ４をそれぞれ左端位置、右端位置に移動させた状態を示す。図３は、第２メインケースＭＣ２と第３メインケースＭＣ３とを連結部ＣＯＮ２を介して回動させて重ねる途中の状態を示す。図４は、４つのメインケースＭＣ１〜ＭＣ４を折り畳んで重畳させた状態を示す。図５は、鍵盤装置１の展開した状態における底面図である。
【００１７】
このように、図１、図５に示すような展開状態、すなわち、４つのメインケースＭＣ１〜ＭＣ４が展開されて鍵並び方向に直列に配置される平面展開配置とされた状態にて演奏が可能となる。一方、通常は、図４に示す折り畳み状態、すなわち、４つのメインケースＭＣ１〜ＭＣ４が略１つのメインケース大に折り畳まれる折畳配置とされた状態にて携帯される。
【００１８】
まず、本装置１の展開及び折り畳み機構を説明する。
【００１９】
図２、図５に示すように、連結部ＣＯＮ１は、合成樹脂製の連結片２０と蝶番２１、２２、２３、２４とで構成される。蝶番２１、２２はメインケースＭＣ１と連結片２０とを相対的に回動自在にし、蝶番２３、２４は連結片２０とメインケースＭＣ２とを相対的に回動自在にする。同様に、連結部ＣＯＮ３は、連結片２５と蝶番２６、２７、２８、２９とで構成される。蝶番２６、２７はメインケースＭＣ３と連結片２５とを相対的に回動自在にし、蝶番２８、２９は連結片２５とメインケースＭＣ４とを相対的に回動自在にする。
【００２０】
サブフレーム組体ＳＵＢ１を図２に示す左端位置に移動させた状態では、メインケースＭＣ１とメインケースＭＣ２とは自由に回動する。しかし、サブフレーム組体ＳＵＢ１を右端位置、すなわち、図１に示す位置に移動させた状態では、サブフレーム組体ＳＵＢ１の右端部がメインケースＭＣ２にオーバーラップするため、上記回動が規制される。また、メインケースＭＣ３とメインケースＭＣ４との関係もこれと同様であり、サブフレーム組体ＳＵＢ４を図２に示す右端位置に移動させた状態では回動が許容されるが、図１に示す左端位置では回動が規制される。これにより、使用時は平面展開配置で固定され操作性がよい。
【００２１】
図３、図５に示すように、連結部ＣＯＮ２は、蝶番３０、３１で構成される。蝶番３０、３１によって、メインケースＭＣ２、ＭＣ３は、展開状態から互いに背面が対向する方向には回動可能であるが、展開状態から互いに表面が対向する方向には回動しないようになっている。
【００２２】
これら連結部ＣＯＮ１〜ＣＯＮ３の機能によって、折り畳むときは、メインケースＭＣ２、ＭＣ３は互いの背面が向き合うように、また、メインケースＭＣ１、ＭＣ２は互いの表面が向き合うように、さらにメインケースＭＣ３、ＭＣ４は互いの表面が向き合うように、４つのメインケースを重ねる。これにより、図４に示すように、本装置１が略１ケース大の大きさになる。
【００２３】
図６は、鍵盤装置１の展開した状態における部分斜視図である。
【００２４】
同図に示すように、メインケースＭＣ４には、レバー１３及び爪３２が設けられている。メインケースＭＣ１には、爪３２と係合する不図示の係止部が設けられ、鍵盤装置１を折り畳んだとき、両者が係合して折り畳み状態が維持される。また、爪３２はレバー１３を前方（奏者側）へスライドさせることで前方へ移動するようになっており、折り畳み状態から展開する場合は、レバー１３を前方へ操作することで、爪３２と上記係止部との係合を解くことができるように構成されている。
【００２５】
メインケースＭＣにはまた、図１に示すように、ステレオ発音を行う左右のスピーカ１２Ｌ／Ｒ、前部が平面視円弧状の係止具１６、１７、ＬＣＤ等のディスプレイ８９、及び後述するモバイルコンピュータ６０と接続するためのＩ／Ｆ（インターフェイス）部１８のほか、後述する記憶装置８４、音源回路８７及び電源部８８等を収容する収容部１９が設けられる。
【００２６】
スピーカ１２Ｌは、メインケースＭＣ１の左端部であって、鍵盤ユニットＫＵ１の後方に配置される。スピーカ１２Ｒは、メインケースＭＣ４の右端部であって、鍵盤ユニットＫＵ４の後方に配置される。このような配置により、サブフレーム組体ＳＵＢ１、ＳＵＢ４を、それぞれ第１、第４メインケースＭＣ１、ＭＣ４に対して鍵並び方向にスライド移動させる際に、スピーカ１２Ｌ／Ｒがサブフレーム組体ＳＵＢ１、ＳＵＢ４に干渉しない。これにより、狭いスペースを有効に使ってコンパクト化の妨げとなることを回避している。また、本鍵盤装置１を展開したとき最も外側となる左右両端にスピーカ１２Ｌ／Ｒが位置することから、ステレオ発音が効果的となっている。
【００２７】
サブフレーム組体ＳＵＢ１の上に配設された鍵盤ユニットＫＵ１は、白鍵ユニットＫＵ１Ｗ、黒鍵ユニットＫＵ１Ｂのほか、押鍵による発音音高を変化させるための鍵域シフト操作子１１Ｌを備える。後述するように、鍵域シフト操作子１１Ｌが押下されることで、発音音域が例えば１オクターブ低く設定される（または元に戻る）。鍵盤ユニットＫＵ１にはまた、接続されたモバイルコンピュータ６０の画面上で各種操作等を行うための操作子群１４が設けられる。
【００２８】
なお、この操作子群１４の一部及び／又は鍵盤ユニットＫＵ４の操作子群１５（後述）の一部を、鍵域シフト操作子１１として割り当てるようにしてもよい。
【００２９】
サブフレーム組体ＳＵＢ２の上に配設された鍵盤ユニットＫＵ２は、白鍵ユニットＫＵ２Ｗ、黒鍵ユニットＫＵ２Ｂで構成され、サブフレーム組体ＳＵＢ３の上に配設された鍵盤ユニットＫＵ３は、白鍵ユニットＫＵ３Ｗ、黒鍵ユニットＫＵ３Ｂで構成される。
【００３０】
サブフレーム組体ＳＵＢ４の上に配設された鍵盤ユニットＫＵ４は、白鍵ユニットＫＵ４Ｗ、黒鍵ユニットＫＵ４Ｂのほか、押鍵による発音音高を変化させるための鍵域シフト操作子１１Ｒを備える。後述するように、鍵域シフト操作子１１Ｒが押下されることで、発音音域が例えば１オクターブ高く設定される（または元に戻る）。鍵盤ユニットＫＵ４にはまた、モード切り換え、音色設定、楽音に各種効果等を付与する効果設定等を行うための各種操作子群１５が設けられる。
【００３１】
また、図１、図２、図６に示すように、鍵盤ユニットＫＵ１、ＫＵ４には、係止用凹部ＫＭが各２個ずつ設けられる。係止用凹部ＫＭは、係止具１６、１７の前部の円弧部と嵌合的な凹形状を有する。係止具１６、１７は、バネ等の弾性体によって前方に常に付勢されており、サブフレーム組体ＳＵＢ１、ＳＵＢ４が図１に示す位置にあるときは、外側（左右両端側）の各係止用凹部ＫＭに係止具１６、１７が嵌合している。図１の状態からサブフレーム組体ＳＵＢ１、ＳＵＢ４を鍵並び方向におけるそれぞれ左側、右側にスライドさせると、係止具１６、１７は後方へ引っ込み、さらにサブフレーム組体ＳＵＢ１、ＳＵＢ４を移動させると、図２に示すように、内側の各係止用凹部ＫＭに係止具１６、１７が嵌合する。従って、各係止用凹部ＫＭに係止具１６、１７が嵌合することで、サブフレーム組体ＳＵＢ１、ＳＵＢ４の鍵並び方向の安定的な位置２箇所（図１及び図２に示す位置）が規定される。
【００３２】
次に、各サブフレーム組体ＳＵＢ及び各鍵盤ユニットＫＵの内部構成を説明する。
【００３３】
図７は、図１のＡ−Ａ線に沿う断面図である。図８は、サブフレーム組体ＳＵＢの平面図である。図９は、図８のＢ−Ｂ線に沿う部分断面図である。
【００３４】
図７に示すように、サブフレーム組体ＳＵＢ４は、鉄等の金属板で形成されるサブフレーム４２と、柔軟な材料でなるメンブレンシート４３とから構成される。メンブレンシート４３は、公知の構成を有し、上下のシート間に形成されたドーム状の空間にスイッチ部４４、４５が構成される。スイッチ部４４、４５は、白鍵ＷＫ、黒鍵ＢＫの各々に対応して設けられ、押離鍵操作を検出する。また、押鍵操作検出時には、スイッチ部４４、４５の上記ドーム状部分が座屈変形し、これによって脱進感のあるクリック感が得られるようになっている。サブフレーム４２の前部には、下限ストッパ４２ｃが一体に突設形成され、過剰な力で押鍵された白鍵ＷＫの下限位置を規定する。
【００３５】
一方、第４メインケースＭＣ４には、ガイド溝３３、３４が設けられている。ガイド溝３３、３４は第４メインケースＭＣ４の鍵並び方向における略全幅に亘って形成され、サブフレーム４２の後縁、前縁がそれぞれガイド溝３３、３４に摺動可能に嵌合し、これによって、サブフレーム組体ＳＵＢ４が鍵並び方向にスライド移動可能になっている。なお、サブフレーム組体ＳＵＢ４を移動させるには、鍵域シフト操作子１１Ｒを手で持って左右に動かすことができる。従って、鍵域シフト操作子１１Ｒが、スライド移動時の把持部を兼用するので、構成が簡単になっている。
【００３６】
サブフレーム組体ＳＵＢ１についても、サブフレーム組体ＳＵＢ４と同様に構成される。また、サブフレーム組体ＳＵＢ１に関しては鍵域シフト操作子１１Ｌが把持部を兼用する。サブフレーム組体ＳＵＢ２、３についても、ガイド溝３３、３４を除いてサブフレーム組体ＳＵＢ４と同様に構成される。
【００３７】
図８に示すように、４つのサブフレーム組体ＳＵＢは、図１に示す分割位置ＤＩＶ１、ＤＩＶ２、ＤＩＶ３（鍵盤部分で示す）を境に分かれている。ただし、サブフレーム組体ＳＵＢ２、ＳＵＢ３はフラットケーブル４１Ｂで物理的、電気的に接続されている。サブフレーム組体ＳＵＢ２からは、左方にフラットケーブル４１Ａが延設され、サブフレーム組体ＳＵＢ３からは、右方にフラットケーブル４１Ｃが延設されている。
【００３８】
図９に示すように、サブフレーム４２は切り起こし部４２ａで切り起こされ、切り起こし片４２ｂが下方に折れ曲がっている。メンブレンシート４３は、延設部４３ａがサブフレーム４２の左方から下方へ回り込むように延び、さらに切り起こし片４２ｂを覆うようにして切り起こし片４２ｂに接着固定されている。延設部４３ａの下面４３ｂには、不図示の電極が設けられる。一方、サブフレーム組体ＳＵＢ３から延設されるフラットケーブル４１Ｃは、サブフレーム組体ＳＵＢ４の下方へ延び、第４メインケースＭＣ４の底面に接着固定されている。フラットケーブル４１Ｃの上面には、不図示の電極が設けられる。そして、この電極と、メンブレンシート４３の延設部４３ａの下面４３ｂに設けられた電極とが接触することで、フラットケーブル４１Ｃを介してサブフレーム組体ＳＵＢ３、ＳＵＢ４が電気的に接続される。切り起こし片４２ｂはその弾力により下方に付勢されているので、サブフレーム組体ＳＵＢ４を鍵並び方向にスライド移動させても、両電極は常時接触状態を維持する。
【００３９】
また、サブフレーム組体ＳＵＢ１についても同様に構成され、フラットケーブル４１Ａを介してサブフレーム組体ＳＵＢ１、ＳＵＢ２が常時電気的に接続される。なお、サブフレーム組体ＳＵＢ３及びＳＵＢ４間の電気的接続、並びにＳＵＢ１及びＳＵＢ２間の電気的接続は、上記の構成に限定されない。例えば、ロータリーエンコーダ等で採用される髭状の可動端子及び固定端子を組み合わせて構成してもよい。
【００４０】
図７に示すように、鍵盤ユニットＫＵ４は、サブフレーム組体ＳＵＢ４の上方に配設される。鍵盤ユニットＫＵ４は、白鍵ユニットＫＵ４Ｗの上に黒鍵ユニットＫＵ４Ｂが積層されてなる。すなわち、サブフレーム４２の後部の上部に白鍵ユニットＫＵ４Ｗの鍵基端部ＫＵ４Ｗａが載り、さらにその上部に黒鍵ユニットＫＵ４Ｂの鍵基端部ＫＵ４Ｂａが載って、両鍵基端部ＫＵ４Ｗａ、ＫＵ４Ｂａがネジ４６でサブフレーム組体ＳＵＢ４後部に固定されている。
【００４１】
白鍵ユニットＫＵ４Ｗ及び黒鍵ユニットＫＵ４Ｂはいずれも、合成樹脂製の平板を打ち抜いて形成され、厚みは、演奏操作が支障なく行える範囲で極力薄く設定されている（例えば２ｍｍであり、好ましくは５ｍｍ以下）。また、両ユニットＫＵ４Ｗ、ＫＵ４Ｂはいずれも、上方からの平面視により見える略全領域が略平面上に形成されている。これらにより、白鍵ＷＫ、黒鍵ＢＫの厚みが最小限となり鍵盤の上下方向の寸法が小さくなっている。
【００４２】
本実施の形態では、両ユニットＫＵ４Ｗ、ＫＵ４Ｂにおいて、押鍵操作部（鍵のヒンジ部より先端側）と両鍵基端部ＫＵ４Ｗａ、ＫＵ４Ｂａとは同厚に形成されているので、平板の打ち抜きによる櫛歯状の鍵盤ユニットの製造が容易となっている。また、白鍵ユニットＫＵ４Ｗの上に黒鍵ユニットＫＵ４Ｂを積層して固定するだけでユニットの組み付けが可能であるので、組み付け作業が簡単である。また、黒鍵ユニットＫＵ４Ｂの厚み自体によって黒鍵ＢＫが白鍵ＷＫよりも自然に上方に（２ｍｍ程度）突出するので、黒鍵らしさが出て、ブラインド操作も可能となる。なお、両ユニットＫＵ４Ｗ、ＫＵ４Ｂは金型成形により製造してもよい。
【００４３】
白鍵ＷＫ、黒鍵ＢＫの下面には各々、アクチュエータＫＵ４Ｗｂ、ＫＵ４Ｂｂが取り付けられている。押鍵操作されることで、アクチュエータＫＵ４Ｗｂ、ＫＵ４Ｂｂがメンブレンシート４３のスイッチ部４４、４５をそれぞれオンさせ、押鍵動作が検出される。離鍵動作はこの逆の動作により検出される。
【００４４】
このほかの鍵盤ユニットＫＵ１〜ＫＵ３は、鍵盤ユニットＫＵ４と基本的に同様に構成されるが、音高の違いに基づき配設される鍵の種類は異なる。
【００４５】
すなわち、図１に示すように、鍵盤ユニットＫＵ１ではＣ鍵〜Ｆ鍵、鍵盤ユニットＫＵ２ではＧ鍵〜Ｃ鍵、鍵盤ユニットＫＵ３ではＤ鍵〜Ｇ鍵、鍵盤ユニットＫＵ４ではＡ鍵〜Ｃ鍵が配設される。本実施の形態では、各鍵盤ユニットＫＵの鍵並び方向の長さを極力共通にするべく、ユニット間に位置する黒鍵は、Ｆ＃鍵が鍵盤ユニットＫＵ２に、Ｃ＃鍵が鍵盤ユニットＫＵ３に、Ｇ＃鍵が鍵盤ユニットＫＵ４に、それぞれ配置されるが、これらの黒鍵は隣接するいずれの側の鍵盤ユニットＫＵに配設してもよい。
【００４６】
このような配置によって、鍵盤ユニットＫＵ１、ＫＵ２、ＫＵ３、ＫＵ４における白鍵数は順に「４、４、４、３」となり、白黒全鍵で２５鍵となっている。Ｃ鍵〜Ｃ鍵の２５鍵設定により、少ない鍵数ではあるが、多くの曲調において音域をカバーでき、演奏上の支障が少なく用途が過剰に限定されない。
【００４７】
図１０は、本鍵盤装置１をモバイルコンピュータ６０と接続したモバイルキーボードシステムの全体構成を示すブロック図である。
【００４８】
モバイルコンピュータ６０は一例として、ＣＰＵ６１に、ＲＡＭ６２、ＲＯＭ６３、記憶装置６４、キーボード６５、表示回路６６、音源回路６７、通信Ｉ／Ｆ（インターフェイス）６８及びＩ／Ｆ（インターフェイス）部６９がバス７３で接続されて構成される。また、表示回路６６にはＬＣＤ等のディスプレイ７０が接続され、音源回路６７にはサウンドシステム７１が接続されている。通信Ｉ／Ｆ６８は、通信ネットワーク７２を介して配信サーバや他のコンピュータ等との接続を可能にする。
【００４９】
ＣＰＵ６１はモバイルコンピュータ６０全体の制御を司る。ＲＡＭ６２は各種データを記憶し、ＣＰＵ６１のワーキングエリアとしても機能する。ＲＯＭ６３はＣＰＵ６１が実行する制御プログラム等を記憶する。記憶装置６４は、ＲＡＭやハードディスク等で構成され、演奏データ等を格納する。表示回路６６は、ディスプレイ７０に各種情報を可視表示させる。ディスプレイ７０には例えば、自動演奏データ、楽音データの編集画面等が表示され、入力情報の確認も行える。
【００５０】
本鍵盤装置１は、ＣＰＵ８１に、ＲＡＭ８２、ＲＯＭ８３、記憶装置８４、各種操作子８５、表示回路８６、音源回路８７、電池等の電源部８８及び前記したＩ／Ｆ（インターフェイス）部１８がバス９０で接続されて構成される。また、表示回路８６には前記したディスプレイ８９が接続され、音源回路８７には前述のスピーカ１２Ｌ／Ｒが接続されている。各種操作子８５には、前述の鍵域シフト操作子１１Ｌ／Ｒ、スイッチ部４４、４５及び操作子群１４、１５が含まれる。
【００５１】
ＣＰＵ８１は本鍵盤装置１全体の制御を司る。ＲＡＭ８２は各種データを記憶し、ＣＰＵ８１のワーキングエリアとしても機能する。ＲＯＭ８３はＣＰＵ８１が実行する制御プログラム等を記憶する。記憶装置８４は、ＲＡＭ等で構成される。表示回路８６は、ディスプレイ８９に各種情報を可視表示させる。音源回路８７は、各鍵の押鍵操作に応じて楽音信号を発生し、この楽音信号をスピーカ１２Ｌ／Ｒが音響に変換することで発音がなされる。
【００５２】
本モバイルキーボードシステムは、鍵盤装置１のＩ／Ｆ部１８とモバイルコンピュータ６０のＩ／Ｆ部６９とを接続することで構成されるが、これらのインタフェイスとしては、ＵＳＢ（Universal Serial Bus）やＩＥＥＥ（Institute of Electrical and Electronic Engineers（アイトリプルイー））１３９４等を採用してもよい。
【００５３】
図１１は、モバイルキーボードシステムにおける各種スイッチイベント処理のフローチャートを示す図である。本処理は、ＣＰＵ６１により実行される。
【００５４】
いずれかのスイッチ（ＳＷ）イベントがあったか否かを判別し（ステップＳ１０１）、その判別の結果、何らスイッチイベントがない場合は本処理を終了する一方、いずれかのスイッチイベントがあった場合は、スイッチイベントが鍵スイッチイベント（スイッチ部４４、４５のオンまたはオフイベント）であるか否かを判別する（ステップＳ１０２）。
【００５５】
その判別の結果、スイッチイベントが鍵スイッチイベントである場合は、鍵盤処理を実行して（ステップＳ１０３）、ステップＳ１１５に進む。この鍵盤処理では、押鍵された鍵に対応する発音または消音処理等がなされる。一方、スイッチイベントが鍵スイッチイベントでない場合は、スイッチイベントが音色スイッチであるか否かを判別する（ステップＳ１０４）。
【００５６】
その判別の結果、スイッチイベントが音色スイッチイベントである場合は、各種音色パラメータの変更設定処理を実行し（ステップＳ１０５）、ステップＳ１１５に進む。一方、スイッチイベントが音色スイッチイベントでない場合は、スイッチイベントが効果スイッチイベントであるか否かを判別する（ステップＳ１０６）。
【００５７】
その判別の結果、スイッチイベントが効果スイッチイベントである場合は、各種効果パラメータの変更設定処理を実行し（ステップＳ１０７）、ステップＳ１１５に進む。一方、スイッチイベントが効果スイッチイベントでない場合は、スイッチイベントがオクターブスイッチイベント、すなわち、鍵域シフト操作子１１Ｌ／Ｒのいずれかのオンイベントであるか否かを判別する（ステップＳ１０８）。
【００５８】
その判別の結果、スイッチイベントがオクターブスイッチイベントである場合は、鍵域シフト操作子１１Ｌ（−）、または鍵域シフト操作子１１Ｒ（＋）のいずれのオンイベントであるかを判別する（ステップＳ１０９）。その判別の結果、オクターブスイッチイベントが鍵域シフト操作子１１Ｒ（＋）のオンイベントである場合は、変数ＰＯＣＴに「１−ＰＯＣＴ」を設定すると共に（ステップＳ１１０）、鍵に対応したノートナンバテーブルを変数ＰＯＣＴによって書き換え（ステップＳ１１１）、ステップＳ１１５に進む。これにより、鍵域シフト操作子１１Ｒを押下する毎に、押鍵による発音音域が初期状態と１オクターブ高音域側にシフトした状態との間で切り替わる。
【００５９】
一方、前記ステップＳ１０９の判別の結果、オクターブスイッチイベントが鍵域シフト操作子１１Ｌ（−）である場合は、変数ＭＯＣＴに「１−ＭＯＣＴ」を設定すると共に（ステップＳ１１２）、鍵に対応したノートナンバテーブルを変数ＭＯＣＴによって書き換え（ステップＳ１１３）、ステップＳ１１５に進む。これにより、鍵域シフト操作子１１Ｌを押下する毎に、押鍵による発音音域が初期状態と１オクターブ低音域側にシフトした状態との間で切り替わる。
【００６０】
一方、前記ステップＳ１０８の判別の結果、スイッチイベントがオクターブスイッチイベントでない場合は、当該スイッチイベントに応じた「その他処理」を実行し（ステップＳ１１４）、ステップＳ１１５に進む。この「その他処理」では、例えば、インターネットに接続して楽音データの送受信を行ったり、あるいは自動演奏の再生を行ったりする。このほか、リアルタイム演奏、楽音データのステップ入力、各種モード切り換え処理等も、「その他処理」で行われ得る。
【００６１】
前記ステップＳ１１５では、変更後の各種パラメータをディスプレイ７０に表示して、ユーザによる確認を可能にし、本処理を終了する。本処理終了後はリターンしてルーチンの最初に戻り、イベント処理を行う。
【００６２】
なお、本鍵盤装置１は、他の機器、例えば、携帯電話、ＰＨＳ、ＰＤＡと接続し、それらの通信機能や情報処理機能を利用して、データの送受信や音楽製作等を行うようにしてもよい。なお、本鍵盤装置１は、モバイルコンピュータ６０等に接続することなく、単独でも演奏による簡単な発音は可能である。その場合でも、モバイルコンピュータ６０等との合体構成に比し、音色の豊かさの低減や、制御パラメータ数の減少等の制約があるだけである。
【００６３】
本実施の形態によれば、４つのメインケースＭＣのうち互いに隣接するメインケースＭＣ同士を連結部ＣＯＮ１、ＣＯＮ２、ＣＯＮ３で回動可能に連結し、隣接するメインケースＭＣを折り畳み状態から平面展開状態となるまで相対的に回動可能にしたので、シート状鍵盤を折曲して折り畳む場合に比し剛性や耐久性が向上する。また、各連結部ＣＯＮを介して、折畳配置と平面展開配置との両配置が可能なように構成したので、折畳配置にしてコンパクトに携帯できると共に、平面展開配置にして演奏操作が行え、しかも、鍵盤ユニットＫＵが、柔らかいシートでなくある程度堅さを有するメインケースＭＣに設けられるので、押鍵操作がやりやすい。また、低音域側の３つのメインケースＭＣ１〜ＭＣ３には、白鍵がそれぞれ４鍵ずつ設けられたので、これらの鍵並び方向における長さを統一しやすく、コンパクト化が容易で、携帯性を高めることができる。なお、最高音域側のメインケースＭＣ４に配置する鍵数は例示した５鍵（白黒合わせて）に限定されない。例えば、同じメインケースＭＣを用い、メインケースＭＣ４に配置する鍵数を種々変えることで、多機種生産が容易になる。さらに、本実施の形態では、Ｃ鍵〜Ｃ鍵２５鍵という鍵配置構成を採用したので、多くの曲調において音域をカバーでき、演奏上の支障が少なく、用途が過剰に限定されない。従って、広い音楽シーンへの適応が可能となる。
【００６４】
よって、高い耐久性、携帯性及び操作性を有すると共に、広い音楽シーンへの適応及び多機種生産への対応を容易にすることができる。
【００６５】
なお、最高音域側のメインケースＭＣ４に配置する白鍵数を２鍵とし、全部で２４鍵としても、広い音楽シーンへの適応は可能である。例えば、２４鍵の場合、「Ｆ鍵〜Ｅ鍵」または「Ｃ鍵〜Ｂ鍵」という配置とすれば、より多くの曲調において音域をカバーできる。また、メインケースＭＣ４には白鍵を配置せず、白黒合わせて全部で２０鍵を確保するよにしてもよい。この場合でも、比較的広い音楽シーンへの適応が可能である。例えば、Ｆ鍵からＣ鍵までの配置とすれば、多くの曲調において音域をカバーできる。このように、低音域側から白鍵「４、４、４…」という配置構成をとったことで、白黒合わせて少なくとも２０鍵が確保されるので、広い音楽シーンへの適応が容易となる。
【００６６】
本実施の形態ではまた、鍵以外の操作子である、音色や効果用等の操作子群１５を、最高音域側のメインケースＭＣ４に設けたので、スペースが有効に利用される。すなわち、メインケースＭＣ４には、全部で２０鍵配置の場合は鍵を設けず、２４鍵配置の場合は白鍵２個、２５鍵配置の場合は白鍵３個で足りることになる。４つのメインケースＭＣの鍵並び方向の長さを統一するとして、これらいずれの場合も、メインケースＭＣ４には空きスペースが生じることになるが、この空きスペースに鍵以外の操作子群１５を配置したことで、鍵盤装置全体を大型化することなく操作子をレイアウトすることができる。よって、空きスペースの有効活用によりコンパクトにして携帯性を一層高めることができる。
【００６７】
本実施の形態ではまた、各鍵盤ユニットＫＵにおいて、白鍵ＷＫ、黒鍵ＢＫが、厚みが５ｍｍ以下で、且つ上方からの平面視により見える略全領域が略平面上に形成されたので、各鍵の厚みを最小限にして鍵盤の上下方向の寸法を小さくすることができる。よって、高い耐久性及び操作性を維持しつつ、鍵盤厚みを最小限にして携帯性を高めることができる。
【００６８】
さらに、鍵盤ユニットＫＵは、白鍵ユニットＫＵＷの白鍵共通基端部としての鍵基端部ＫＵＷａ上に黒鍵ユニットＫＵ４Ｂの黒鍵共通基端部としての鍵基端部ＫＵＢａが積層されて構成されるので、鍵盤ユニットＫＵの組み付けは両鍵基端部を積層するだけで行え、鍵盤ユニットの組み付けを簡単にすることができる。しかも、両鍵ユニットＫＵＷ、ＫＵＢは、平板状に形成されたので、白鍵及び黒鍵の厚みを薄くして鍵盤の上下方向の寸法を小さくすることができるだけでなく、平板の打ち抜き等による鍵盤ユニットの製造を可能にし、構成、製造を簡単にすることができる。よって、高い耐久性、携帯性及び操作性を維持しつつ、鍵盤の構成及び組み付けを簡単にして製造を容易にすることができる。
【００６９】
さらに、白鍵ユニットＫＵＷの鍵基端部ＫＵＷａ上に黒鍵ユニットＫＵ４Ｂの鍵基端部ＫＵＢを積層するという作業だけで、黒鍵ユニットＫＵ４Ｂの厚みによって白鍵ＷＫと黒鍵ＢＫとの高さの差が自動的に生じ、通常の鍵盤のように、黒鍵ＢＫを白鍵ＷＫより上方に突出させることができるので、黒鍵らしさが出て、ブラインド操作も可能となる。よって、簡単な構成及び容易な組み付けにて、ブラインド操作等を可能にして操作性を向上することができる。
【００７０】
本実施の形態ではまた、鍵域シフト操作子１１を設けたので、発音可能な音域が広がり、しかも鍵域シフト操作子１１は、最低音域側のメインケースＭＣ１の左端部及び最高音域側のメインケースＭＣ４の右端部に設けられたので、各鍵域シフト操作子１１の操作を行いやすい。また、鍵域シフト操作子１１Ｌ／Ｒが、サブフレーム組体ＳＵＢ１、ＳＵＢ４をスライド移動させる際の把持部を兼用するように構成したので、鍵域シフト操作子及び把持部を別途設ける場合に比し、構成を簡単にすることができる。よって、高い耐久性、携帯性及び操作性を有すると共に、簡単な構成、少ない鍵数にて、広い音域をカバーすることができる。
【００７１】
本実施の形態によればまた、スピーカ１２Ｌ／Ｒを、メインケースＭＣ１、４の左、右端部であって、鍵盤ユニットＫＵ１、４の後方に配置したので、折畳配置と平面展開配置との間の配置変更時に、鍵盤ユニットＫＵ１、４を鍵並び方向に移動させる際に、スピーカ１２Ｌ／Ｒが邪魔にならない。従って、狭いスペースを無駄にすることなくスピーカ１２を配置してコンパクト化に資することから、装置の携帯性が維持される。よって、高い耐久性、携帯性及び操作性を維持しつつ、押鍵による発音を可能にすることができる。また、平面展開配置にしたとき、スピーカ１２Ｌ／Ｒは、本鍵盤装置１の最も外側の両端部にそれぞれ位置するので、ステレオ発音をさせる際に最も効果的な配置となり、良好なステレオ効果を得ることができる。
【００７２】
なお、本実施の形態では、白鍵ユニットＫＵＷと黒鍵ユニットＫＵ４Ｂとを別体で構成したが、両者を一体で構成してもよい。その場合、平板を打ち抜いた後、黒鍵ユニットＫＵ４Ｂに対応する領域の上面に５ｍｍ程度の黒色シールを貼着するようにしてもよい。これにより、黒鍵が明確に視認されると共に、黒鍵が白鍵よりも上方に突出し、上記と同様にブラインド操作が容易になる。
【００７３】
なお、本実施の形態では、白鍵ユニットＫＵＷと黒鍵ユニットＫＵ４Ｂとをいずれも平板状に形成したが、いずれか一方のみをそのように構成してもよく、両者の厚みは同厚でなくてもよい。なお、鍵域シフト操作子１１Ｌ／Ｒのうちいずれか一方のみを備えるようにしてもよい。
【００７４】
（第２の実施の形態）
図１２は、本発明の第２の実施の形態に係る鍵盤装置の外観斜視図である。
【００７５】
第１の実施の形態では、Ｃ鍵〜Ｃ鍵２５鍵という鍵配置構成を例示したが、本第２の実施の形態では、Ｆ鍵〜Ｆ鍵２５鍵という鍵配置構成を示す。サブフレーム組体及び鍵盤ユニットの基本的構成は第１の実施の形態と同様で、分割位置が異なるのみである。本第２の実施の形態では、図１２に示すように、サブフレーム組体ＳＵＢ１１及びＳＵＢ１２間、ＳＵＢ１２及びＳＵＢ１３間、ＳＵＢ１３及びＳＵＢ１４間は、それぞれ分割位置ＤＩＶ１１、ＤＩＶ１２、ＤＩＶ１３を境に分かれている。その他の構成は第１の実施の形態と同様である。
【００７６】
本実施の形態によれば、第１の実施の形態と同様の効果を奏することができる。
【００７７】
なお、サブフレーム組体ＳＵＢ１４に対応する鍵盤ユニットに配設される白鍵の数は、０〜４のいずれとしてもよく、例えば白鍵２鍵として全鍵数２４鍵とした場合は、「Ｆ鍵〜Ｅ鍵」とするのが理想的である。
【００７８】
なお、第１、第２の実施の形態では、メインケースＭＣが４つである場合の構成を例示したが、これに限るものでなく、連結部ＣＯＮ１〜ＣＯＮ３を適当に組み合わせて２つ以上（４つ以上を含む）の複数のメインケースＭＣを折り畳み可能に構成してもよい。
【００７９】
例えば、図１３に示すように、２つのメインケースＭＣ１０１とメインケースＭＣ１０２とを連結部ＣＯＮ１０１で回動可能に連結し、連結部ＣＯＮ１０１を、連結片１２５と蝶番１２６、１２７、１２８、１２９とで構成してもよい。なお、同図においては、メインケースＭＣの構成の概略のみが示され、鍵盤ユニットＫＵ等は省略されている。
【００８０】
【発明の効果】
以上説明したように、本発明の請求項１に係る鍵盤装置によれば、高い耐久性、携帯性及び操作性を有すると共に、少ない鍵数、容易な鍵域シフト操作にて、広い音域をカバーすることができる。
【００８１】
本発明の請求項２に係る鍵盤装置によれば、高い耐久性、携帯性及び操作性を有すると共に、簡単な構成、少ない鍵数にて、広い音域をカバーすることができる。
【図面の簡単な説明】
【図１】  本発明の第１の実施の形態に係る鍵盤装置の外観斜視図である。
【図２】  サブフレーム組体ＳＵＢ１、ＳＵＢ４をそれぞれ左端位置、右端位置に移動させた状態を示す。
【図３】  第２メインケースと第３メインケースとを連結部ＣＯＮ２を介して回動させて重ねる途中の状態を示す。
【図４】  ４つのメインケースを折り畳んで重畳させた状態を示す。
【図５】  鍵盤装置の展開した状態における底面図である。
【図６】  鍵盤装置の展開した状態における部分斜視図である。
【図７】  図１のＡ−Ａ線に沿う断面図である。
【図８】  サブフレーム組体ＳＵＢの平面図である。
【図９】  図８のＢ−Ｂ線に沿う部分断面図である。
【図１０】  鍵盤装置をモバイルコンピュータと接続したモバイルキーボードシステムの全体構成を示すブロック図である。
【図１１】  モバイルキーボードシステムにおける各種スイッチイベント処理のフローチャートを示す図である。
【図１２】  本発明の第２の実施の形態に係る鍵盤装置の外観斜視図である。
【図１３】  メインケースが２つである場合の構成例を示す概略図である。
【符号の説明】
１  鍵盤装置、  １１Ｌ／Ｒ  鍵域シフト操作子、  １４、１５  操作子群、１８  Ｉ／Ｆ（インターフェイス）部、  ４２  サブフレーム、  ４３  メンブレンシート、  ４４、４５  スイッチ部、  ６０  モバイルコンピュータ、  ６１  ＣＰＵ、  ６４  記憶装置、  ６８  通信Ｉ／Ｆ（インターフェイス）、６９  Ｉ／Ｆ（インターフェイス）部、  ７０  ディスプレイ、  ８１  ＣＰＵ、  ＫＵ１〜ＫＵ４  鍵盤ユニット、  ＳＵＢ１〜ＳＵＢ４  サブフレーム組体、  ＭＣ１〜ＭＣ４  メインケース（フレーム）、  ＷＫ  白鍵、  ＢＫ  黒鍵、  ＣＯＮ１〜ＣＯＮ３  連結部（連結手段）
【図１】
0003700630.tif 000002
【図２】
0003700630.tif 000003
【図３】
0003700630.tif 000004
【図４】
0003700630.tif 000005
【図５】
0003700630.tif 000006
【図６】
0003700630.tif 000007
【図７】
0003700630.tif 000008
【図８】
0003700630.tif 000009
【図９】
0003700630.tif 000010
【図１０】
0003700630.tif 000011
【図１１】
0003700630.tif 000012
【図１２】
0003700630.tif 000013
【図１３】
0003700630.tif 000014